(57)【要約】本発明は、施設の出入口の床面に設けられて出入者の履物床面に付いた塵埃などの異物を取り除くことにより、快適な室内環境を造成するためのマット式の履物の塵埃除去装置に関するものであり、施設の出入口の床面に設けられ、一方の側に配設される真空吸込装置の吸込力により出入者の履物に付いた塵埃を吸い込むマット本体からなるマット式の履物の塵埃除去装置において、前記真空吸込装置は、捕集箱の一方の側に配設される吸込モータの吸込力により前記マット本体の繋ぎ管に継合される吸込管を介してマット本体の塵埃を捕集する捕集箱を有する吸込手段と、前記吸込手段の下側に形成される床面に係合され、前記吸込手段の外周縁を取り囲む外部ケースと、出入口の一方の側の床面に固設され、前記外部ケースの下端と着脱自在に係合されると共に、内部に前記吸込管が収容されるように吸込管収容部を有する基台と、を備え、吸音材を介して塵埃を吸い込む過程において発生する振動及び騒音を低減して快適な環境を造成し、覗き窓を有する外部蓋体を介して捕集された塵埃を目視で確認すると共に手軽に排出し、ガイドランプを介して視認性を確保して夜間又は静電の際に出入者が通過し易いように安全性を確保するというメリットがある。
2016537164.tif 000002
【特許請求の範囲】
【請求項１】
施設の出入口の床面に設けられ、一方の側に配設される真空吸込装置（１０）の吸込力により出入者の履物に付いた塵埃を吸い込むマット本体（２０）からなるマット式の履物の塵埃除去装置において、
前記真空吸込装置（１０）は、捕集箱（１２０）の一方の側に配設される吸込モータ（１１０）の吸込力により前記マット本体（２０）の繋ぎ管（４１０）に継合される吸込管（１２１）を介してマット本体（２０）の塵埃を捕集する捕集箱（１２０）を有する吸込手段（１００）と、
前記吸込手段（１００）の下側に形成される床面（２１０）に係合され、前記吸込手段（１００）の外周縁を取り囲む外部ケース（２００）と、
出入口の一方の側の床面に固設され、前記外部ケース（２００）の下端と着脱自在に係合されると共に、内部に前記吸込管（１２１）が収容されるように吸込管収容部（３１０）を有する基台（３００）と、
を備え、
前記吸込手段（１００）の周縁及び前記外部ケース（２００）の内側には、前記吸込モータ（１１０）及び捕集箱（１２０）から発せられる騒音が低減されるように第１及び第２の吸音材（１１５、１２５）が二重構造に更に配設され、前記外部ケース（２００）の周縁の一方の側には、前記吸込モータ（１１０）の作動状態を目視で確認する表示部（２４０）が更に配設され、前記捕集箱（１２０）の内側及び捕集箱蓋体（１２３）の下側には、捕集嚢（１２７）を通過する微細塵埃が外部に排出されることを遮断するためのフィルタ（１１７）と、前記捕集箱（１２０）に生じる騒音が捕集箱蓋体（１２３）を介して外部に漏れることを防ぐための第３の吸音材（１２４）と、がそれぞれ更に配設されると共に、前記基台（３００）から外部ケース（２００）を取り外して真空吸込装置（１０）が着脱可能なように前記基台（３００）の上周縁には締付環（３２０）が突設され、前記外部ケース（２００）の下周縁には前記締付環（３２０）と対応するように係合される固定クランプ（２５０）が形成されることを特徴とするマット式の履物の塵埃除去装置。
【請求項２】
前記捕集箱（１２０）の一方の側に配設される吸込モータ（１１０）の周縁には、前記捕集箱（１２０）及び床面（２１０）に固設されて前記吸込モータ（１１０）を保護するモータカバー（１３０）が更に配設され、前記モータカバー（１３０）と吸込モータ（１１０）との間に第１の吸音材（１１５）が詰め込まれ、前記モータカバー（１３０）及び捕集箱（１２０）の周縁に沿って前記外部ケース（２００）の内側に第２の吸音材（１２５）が詰め込まれることを特徴とする請求項１に記載のマット式の履物の塵埃除去装置。
【請求項３】
前記捕集箱（１２０）の上部には、該捕集箱（１２０）の上部を開閉する透明材質の捕集箱蓋体（１２３）が更に配設され、前記外部ケース（２００）の上側の中央には、前記捕集箱蓋体（１２３）が通過する開口部（２２０）が貫設され、該開口部（２２０）には、前記捕集箱（１２０）に配設される捕集嚢（１２７）の塵埃の捕集量を目視で確認するように覗き窓（２３５）を有する外部蓋体（２３０）が更に配設されることを特徴とする請求項２に記載のマット式の履物の塵埃除去装置。
【請求項４】
前記モータカバー（１３０）の上側には、前記吸込モータ（１１０）から発せられる熱を放熱する放熱フィン（１３１）が更に配設されることを特徴とする請求項２に記載のマット式の履物の塵埃除去装置。
【請求項５】
前記捕集箱（１２０）の内部の一方の側には、前記吸込管（１２１）を介して吸い込まれる塵埃を捕集する捕集嚢（１２７）及び捕集箱（１２０）の内部を殺菌する殺菌ランプ（１２９）が更に配設されることを特徴とする請求項１に記載のマット式の履物の塵埃除去装置。
【請求項６】
前記マット本体（２０）における繋ぎ管（４１０）の突出部には、前記マット本体（２０）に延設されて出入者から繋ぎ管（４１０）を保護する繋ぎ管保護カバー（４２０）が更に配設されることを特徴とする請求項１に記載のマット式の履物の塵埃除去装置。
【請求項７】
前記繋ぎ管保護カバー（４２０）は、
逆「コ」字状のチャンネル状に前記繋ぎ管（４１０）の一部を覆い、前記マット本体（２０）の一方の側に延びて固設される第１のカバー（４２１）と、
前記第１のカバー（４２１）の一方の側に形成されるガイド孔（４２４）に沿って前記第１のカバー（４２１）から引出自在に配設されて前記繋ぎ管（４１０）の残りの部分を覆う第２のカバー（４２３）と、
を備えることを特徴とする請求項６に記載のマット式の履物の塵埃除去装置。
【請求項８】
前記マット本体（２０）は、上側が開放され、内部に塵埃収容部（４０１）を有する筐体（４００）と、
前記筐体（４００）の上側を覆う板状に多数の開閉孔（５１０）が格子方向に沿って配列されて貫設され、該開閉孔（５１０）に対応するように出入者の荷重により前記開閉孔（５１０）を開閉する多数の開閉部材（５２０）が配設される中板（５００）と、
前記中板（５００）の上側を覆う板状に前記開閉孔（５１０）に対応するように多数の流入孔（６１０）が貫設される天板（６００）と、
を備えることを特徴とする請求項１に記載のマット式の履物の塵埃除去装置。
【請求項９】
前記開閉部材（５２０）は、出入者の安全及び視認性を確保するために、夜光塗料、蓄光塗料、蛍光塗料のうちのいずれか一つ以上を配合して製造することを特徴とする請求項８に記載のマット式の履物の塵埃除去装置。
【請求項１０】
前記筐体（４００）の塵埃収容部（４０１）には、前記マット本体（２０）を通過する出入者が静電又は夜間の際に進行方向を目視で確認するようにガイドランプ（４３０）が更に配設されることを特徴とする請求項８に記載のマット式の履物の塵埃除去装置。
【発明の詳細な説明】
【技術分野】
【０００１】
本発明は、施設の出入口の床面に設けられて出入者の履物の底面に付いた塵埃などの異物を取り除くことにより快適な室内環境を造成するためのマット式の履物の塵埃除去装置に係り、更に詳しくは、流入孔に設けられる開閉部材によりマット本体の面積とは無関係に人間が踏んでいるところの流入孔のみを開閉して吸込力を集中させ、開閉手段の構成要素を最小化させて製作コストを節減する他、真空吸込装置に吸音材を付設して塵埃を吸い込む過程において発生する振動及び騒音を低減して快適な環境を造成し、真空吸込装置に捕集された塵埃を目視で確認すると共に手軽に排出し、ガイドランプを介して視認性を確保するマット式の履物の塵埃除去装置に関する。
【背景技術】
【０００２】
一般に、施設の出入口の床面には、出入者の履物の底面に付いた塵埃などの異物を取り除くことにより快適な室内環境を造成するために、マット式の履物の塵埃除去装置を使用する。
この種の通常のマット式の履物の塵埃除去装置は、多数の流入孔が天板に形成される胴体と、前記胴体の一方の側に配設されて吸い込まれる異物をろ過するろ過器及び真空吸込力を生成するモータを有する吸込手段と、を備える。
【０００３】
しかしながら、前記構成を有する通常のマット式の履物の塵埃除去装置は、流入孔が全て開放された状態で吸込手段が作動され、このため、出入者が天板上において異物を吹き払って通過しても履物に異物がそのまま残って室内汚染源となるという問題がある。
これを補うために、従来、先出願の（１）大韓民国登録特許１０−０４９６０３８号及び（２）大韓民国公開特許１０−２０１１−０１１９４４１号が提案されている。
【０００４】
このようにして提案された従来の先出願の構成について説明すると、（１）の場合、天板に形成される流入孔に開閉手段が配設され、出入者が天板を踏み込む場合に開閉されるようにバネが取り付けられる構造であり、このような構造の開閉手段が流入孔の形成個所ごとに設けられる。
【０００５】
また、（２）の場合、前記（１）とはバネの種類及び形状が異なるだけであり、他の構成は同じである。
このように、従来のマット式の履物の塵埃除去装置は、胴体の天板に所定の間隔を隔てて設けられる多数の開閉手段のうち出入者の履物により踏み込まれるいくつかの開閉手段が昇降しながら当該流入孔が開放された部分にのみ吸込力が集中されることにより、出入者の履物の底面に付いた塵埃などの異物を取り除く。
【０００６】
しかしながら、前記開閉手段は、弾性力を持たせるためにバネなどの弾性部材を組み付けなければならず、流入孔ごとに組み立てることを余儀なくされ、構成に比べて多数の組立て付属品を必要とし、組立てが煩雑であり、組立工数が多く掛かるため全体的な製作コストが高くなるという問題がある。
【０００７】
また、従来には、その構造からみて、前記弾性部材は捕集通路に設けられるが、流入孔を介して吸い込まれた異物が弾性部材に挟まれて開閉手段の開閉動作が円滑に行われないが故に吸込力が低下することはもとより、これにより、メンテナンスを行うために頻繁に修理しなければならないという煩雑さがあり、天板を受ける支持部材がないか、あるいは、天板を受ける支持部材があるとしても貧弱であるためユーザの重量により天板に破損又は反りなどが発生するが故に製品の耐久性が弱くなるという問題がある。
【０００８】
このような問題を克服するために、本出願人は、大韓民国登録公報第１０−１３７４０１７号（マット式の履物の塵埃除去装置）を提案して実施したが、製作にかかるコストの削減及び製品の性能の向上を図るために改良しようとする。
【発明の概要】
【発明が解決しようとする課題】
【０００９】
上述した問題を解消するために、本発明は、本出願人のマット式の履物の塵埃除去装置の構成において、真空吸込装置に組み込まれる吸込モータ及び捕集箱の周縁に第１及び第２の吸音材を付設して塵埃を吸い込む過程において発生する振動及び騒音を低減して快適な環境を造成し、前記真空吸込装置の内部を目視で確認するように覗き窓を有する外部蓋体を備えることにより、捕集された塵埃を目視で確認すると共に手軽に排出し、ガイドランプを介して視認性を確保するマット式の履物の塵埃除去装置を提供することにその目的がある。
【課題を解決するための手段】
【００１０】
上述した目的を達成するために、本発明は、施設の出入口の床面に設けられ、一方の側に配設される真空吸込装置の吸込力により出入者の履物に付いた塵埃を吸い込むマット本体からなるマット式の履物の塵埃除去装置において、前記真空吸込装置は、捕集箱の一方の側に配設される吸込モータの吸込力により前記マット本体の繋ぎ管に継合される吸込管を介してマット本体の塵埃を吸い込んで捕集箱に捕集すると共に、前記吸込モータ及び捕集箱の騒音を低減するように周縁に沿って第１及び第２の吸音材が二重に配設される吸込手段と、前記吸込手段の下側に形成される床面に係合され、前記吸込手段の外周縁を取り囲む外部ケースと、出入口の一方の側の床面に固設され、前記外部ケースの下端と着脱自在に係合されると共に、内部に前記吸込管が収容されるように吸込管収容部を有する基台と、を備えることを特徴とするマット式の履物の塵埃除去装置を提供する。
【００１１】
ここで、前記捕集箱の一方の側に配設される吸込モータの周縁には、前記捕集箱及び床面に固設されて前記吸込モータを保護するモータカバーが更に配設され、前記モータカバーと吸込モータとの間に第１の吸音材が詰め込まれ、前記モータカバー及び捕集箱の周縁に沿って前記外部ケースの内側に第２の吸音材が詰め込まれることが好ましい。
【００１２】
また、前記マット本体における繋ぎ管の突出部には、前記マット本体に延設されて出入者から繋ぎ管を保護する繋ぎ管保護カバーが更に配設され、前記繋ぎ管保護カバーは、逆「コ」字状のチャンネル状に前記繋ぎ管の一部を覆い、前記マット本体の一方の側に延びて固設される第１のカバーと、前記第１のカバーの一方の側に形成されるガイド孔に沿って前記第１のカバーから引出自在に配設されて前記繋ぎ管の残りの部分を覆う第２のカバーと、を備えることが好ましい。
【００１３】
一方、前記マット本体は、上側が開放され、内部に塵埃収容部を有する筐体と、前記筐体の上側を覆う板状に多数の開閉孔が格子方向に沿って配列されて貫設され、該開閉孔に対応するように出入者の荷重により前記開閉孔を開閉する多数の開閉部材が配設される中板と、前記中板の上側を覆う板状に前記開閉孔に対応するように多数の流入孔が貫設される天板と、を備えることが好ましい。
【発明の効果】
【００１４】
上述した構成を有する本発明によれば、吸音材を介して塵埃を吸い込む過程において発生する振動及び騒音を低減して快適な環境を造成し、覗き窓を有する外部蓋体を介して捕集された塵埃を目視で確認すると共に手軽に排出し、ガイドランプを介して視認性を確保して夜間又は静電の際に出入者が通過し易いように安全性を確保するというメリットがある。
【図面の簡単な説明】
【００１５】
【図１】本発明によるマット式の履物の塵埃除去装置の構成図である。
【００１６】
【図２】本発明によるマット式の履物の塵埃除去装置における真空吸込装置の組立構成図である。
【００１７】
【図３】本発明によるマット式の履物の塵埃除去装置における吸込手段の分解状態の構成図である。
【００１８】
【図４】本発明によるマット式の履物の塵埃除去装置における真空吸込装置の断面構成図である。
【００１９】
【図５】本発明によるマット式の履物の塵埃除去装置におけるマット本体の構成図である。
【００２０】
【図６】本発明によるマット式の履物の塵埃除去装置におけるマット本体の組立構成図である。
【００２１】
【図７】本発明によるマット式の履物の塵埃除去装置におけるマット本体の断面構成図である。
【００２２】
【図８】本発明によるマット式の履物の塵埃除去装置の設置及び使用状態の構成図である。
【００２３】
【図９】本発明によるマット式の履物の塵埃除去装置におけるマット本体の他の実施形態の構成図である。
【００２４】
【図１０】本発明によるマット式の履物の塵埃除去装置におけるマット本体の更に他の実施形態の構成図である。
【発明を実施するための形態】
【００２５】
以下、添付図面に基づき、本発明の実施形態によるマット式の履物の塵埃除去装置について詳細に説明する。
本発明のマット式の履物の塵埃除去装置は、図１に示すように、施設の出入口の床面に設けられ、一方の側に配設される真空吸込装置１０の吸込力により出入者の履物に付いた塵埃を吸い込むマット本体２０からなる。
【００２６】
ここで、前記真空吸込装置１０は、図２から図４に示すように、捕集箱１２０の一方の側に配設される吸込モータ１１０の吸込力により前記マット本体２０の繋ぎ管４１０に継合される吸込管１２１を介してマット本体２０の塵埃を吸い込んで捕集箱１２０に捕集すると共に、前記吸込モータ１１０及び捕集箱１２０の騒音を低減するように周縁に沿って第１及び第２の吸音材１１５、１２５が二重に配設される吸込手段１００と、前記吸込手段１００の下側に形成される床面２１０に係合され、前記吸込手段１００の外周縁を取り囲む外部ケース２００と、出入口の一方の側の床面に固設され、前記外部ケース２００の下端と着脱自在に係合されると共に、内部に前記吸込管１２１が収容されるように吸込管収容部３１０を有する基台３００と、を備える。
【００２７】
このとき、前記捕集箱１２０の一方の側に配設される吸込モータ１１０の周縁には、前記捕集箱１２０及び床面２１０に固設されて前記吸込モータ１１０を保護するモータカバー１３０が更に配設され、前記モータカバー１３０と吸込モータ１１０との間に第１の吸音材１１５が詰め込まれ、前記モータカバー１３０及び捕集箱１２０の周縁に沿って前記外部ケース２００の内側に第２の吸音材１２５が詰め込まれることが好ましい。
【００２８】
ここで、前記吸込手段１００は、床面２１０の中央に上側が開放された捕集箱１２０が設けられ、該捕集箱１２０の一方の側には、前記マット本体２０の繋ぎ管４１０に継合される吸込管１２１が前記捕集箱１２０に挿通されて延設され、前記捕集箱１２０の反対側には、前記繋ぎ管４１０を介して前記マット本体２０の塵埃収容部４０１から前記捕集箱１２０に塵埃が捕集されるように吸込モータ１１０が配設され、前記吸込モータ１１０の周縁には、吸込モータ１１０の作動騒音が吸収する第１の吸音材１１５が巻き付けられると共に、その周縁をカバーするモータカバー１３０が前記床面２１０及び捕集箱１２０に固設される。
【００２９】
前記捕集箱１２０及びモータカバー１３０の周縁には、前記第１の吸音材１１５を介して吸音されなかった騒音は二次的に吸音して外部ケース２００の外側に吸込モータ１１０の作動騒音が聞こえないように第２の吸音材１２５が包み込まれる。
このとき、前記モータカバー１３０の上側には、前記吸込モータ１１０から発せられる熱を放熱する放熱フィン１３１が更に配設される。
【００３０】
一方、前記捕集箱１２０の上部には、該捕集箱１２０の上部を開閉する透明材質の捕集箱蓋体１２３が更に配設され、前記外部ケース２００の上側の中央には、前記捕集箱蓋体１２３が通過する開口部２２０が貫設され、該開口部２２０には、前記捕集箱１２０に配設される捕集嚢１２７の塵埃の捕集量を目視で確認するように覗き窓２３５を有する外部蓋体２３０が更に配設される。
また、前記捕集箱１２０の内部の一方の側には、前記吸込管１２１を介して吸い込まれる塵埃を捕集する捕集嚢１２７及び捕集箱１２０の内部を殺菌する殺菌ランプ１２９が更に配設される。
【００３１】
更に、前記基台３００の上周縁には締付環３２０が突設され、前記外部ケース２００の下周縁には前記締付環３２０と対応する固定クランプ２５０が形成されることにより、前記外部ケース２００を有する真空吸込装置１０を前記基台３００に対して手軽に着脱することができる 。
【００３２】
更にまた、前記外部ケース２００の周縁の一方の側には、前記吸込モータ１１０の作動状態を目視で確認する表示部２４０が更に配設され、前記吸込モータ１１０に対応する前記捕集箱１２０の内側には、前記捕集嚢１２７を通過する微細塵埃が外部に排出されることを遮断するようにフィルタ１１７が更に配設され、前記捕集箱蓋体１２３の下側には、捕集箱１２０に発生する騒音が捕集箱蓋体１２３を介して外部に漏れることを防ぐために第３の吸音材１２４が取り付けられる。
【００３３】
一方、前記マット本体２０は、図５から図７に示すように、前記マット本体２０は、上側が開放され、内部に塵埃収容部４０１を有する筐体４００と、前記筐体４００の上側を覆う板状に多数の開閉孔５１０が格子方向に沿って配列されて貫設され、該開閉孔５１０に対応するように出入者の荷重により前記開閉孔５１０を開閉する多数の開閉部材５２０が配設される中板５００と、前記中板５００の上側を覆う板状に前記開閉孔５１０に対応するように多数の流入孔６１０が貫設される天板６００と、を備える。
【００３４】
このとき、図５を参照すると、前記筐体４００の床面には多数の締付孔４０５が貫設され、前記中板５００が前記筐体４００に固定されるように前記中板５００には前記締付孔４０５と対応する締付溝５３５が形成される係合凸部５３０が突設されて、前記締付孔４０５を介して前記筐体４００の下側から締付ねじを捻り込んで前記締付溝５３５に締め付ける。
【００３５】
また、図８を参照すると、前記マット本体２０の外周縁には、出入者が天板６００の上に安全に乗るように勾配を有する仕上げパネル８００が更に配設され、出入扉３０の一方の側に近付く出入者を感知して前記真空吸込装置１０に作動信号を送る出入りセンサー３１が設けられるか、或いは、出入扉３０がない場合には前記真空吸込装置１０の一方の側に前記マット本体２０を通過する出入者を感知して真空吸込装置１０に作動信号を送るモーションセンサー１１が更に設けられる。
【００３６】
更に、前記開閉部材５２０は、前記開閉孔５１０及び流入孔６１０に挿通され、ドーム状に突設される２つの開閉突起５２１ａ及びこれらの開閉突起５２１ａを連結する連結リブ５２１ｂが一体に形成される開閉ブラケット５２１と、前記開閉突起５２１ａと隣り合う連結リブ５２１ｂの端部及び前記中板５００に連結されて前記開閉突起５２１ａを前記中板５００に向かって弾性復帰させる弾性部材５２３と、を備える。
【００３７】
更にまた、前記開閉部材５２０は、出入者の安全及び視認性を確保するために、夜光塗料、蓄光塗料、蛍光塗料のうちのいずれか一つを配合して製造する。
一方、前記マット本体２０における繋ぎ管４１０の突出部には、前記マット本体２０に延設されて出入者から繋ぎ管４１０を保護する繋ぎ管保護カバー４２０が更に配設される。
このとき、図１０に示すように、前記繋ぎ管保護カバー４２０は、大きく、逆「コ」字状のチャンネル状に前記繋ぎ管４１０の一部を覆い、前記マット本体２０の一方の側に延びて固設される第１のカバー４２１と、前記第１のカバー４２１の一方の側に形成される複数のガイド孔４２４に沿って前記第１のカバー４２１から引出自在に配設されて前記繋ぎ管４１０の残りの部分を覆う第２のカバー４２３と、を備える。
【００３８】
また、図９に示すように、前記筐体４００の塵埃収容部４０１には、前記マット本体２０を通過する出入者が静電又は夜間の際に進行方向を目視で確認するように一つ以上の複数のガイドランプ４３０が長手方向に沿って間隔を隔てて配設されることが好ましい。
前記ガイドランプ４３０から発せられる光が前記中板５００及び天板６００の開閉孔５１０及び流入孔６１０を介して外部に発光され、透明材質の開閉部材５２０により更に発光される。
以下、添付図面に基づき、上述した構成を有する本発明の実施形態によるマット式の履物の塵埃除去装置の作用及び作動について詳細に説明する。
【００３９】
本発明のマット式の履物の塵埃除去装置を構成するマット本体２０を施設の出入扉３０側の正面の床面に固設し、前記マット本体２０の繋ぎ管４１０に継合される吸込管１２１に沿って前記マット本体２０と隣り合うように真空吸込装置１０を設けた状態で、出入者が前記出入扉３０を介して出入りする場合、前記出入扉３０が開閉されながら出入扉３０に設けられる感知手段３１により前記真空吸込装置１０が吸込み動作をする。
【００４０】
このとき、前記マット本体２０の天板６００に出入者が乗ると、出入者が踏み込んでいる部分の開閉部材５２０のみが出入者の荷重により流入孔６１０を開閉することにより、出入者の履物の部分にのみ前記真空吸込装置１０の吸込力が集中して塵埃収容部４０１に塵埃が吸い込まれると共に、繋ぎ管４１０及び吸込管１２１を介して捕集箱１２０に履物の塵埃が捕集される。
ここで、前記捕集箱１２０に配設される捕集嚢１２７に塵埃が捕集された後、ユーザが覗き窓２３５を介して捕集嚢１２７がふくらむことを目視で確認して、必要に応じて、他の捕集嚢１２７に取り替えることができる。
【００４１】
また、前記繋ぎ管保護カバー４２０の第２のカバー４２３を第１のカバー４２１のガイド孔４２４に沿って開閉した後、繋ぎ管４１０及び吸込管１２１を任意に取り外して前記マット本体２０の周りを手軽に吸い込んで掃除することができる。
このような構成を有する本発明によれば、 吸音材を介して塵埃を吸い込む過程において発生する振動及び騒音を低減して快適な環境を造成し、覗き窓を有する外部蓋体を介して捕集された塵埃を目視で確認すると共に手軽に排出し、ガイドランプを介して視認性を確保して夜間又は静電の際に出入者が通過し易いように安全性を確保するというメリットがある。
【００４２】
上述した本明細書及び特許請求の範囲に用いられる用語並びに単語は、通常的又は辞書的な意味に限定して解釈されてはならず、本発明者は、自分の発明を最良の方法により説明するために用語の概念を適切に定義できるという原則に即して本発明の技術的な思想に見合う意味及び概念として解釈されなければならない。
【００４３】
よって、本明細書に記載の図面及び実施形態に開示されている構成は、本発明の好適な一つの実施形態に過ぎず、本発明の技術的な思想をいずれも代弁するものではないため、本発明の出願時点においてこれらに代え得る様々な均等物及び変形例があり得るということが理解できる筈である。
【符号の説明】
【００４４】
１０：真空吸込装置  
２０：マット本体
３０：出入扉
３１：感知手段
１００：吸込手段
１１０：吸込モータ
１１５：第１の吸音材
１１７：フィルタ
１２０：捕集箱
１２１：吸込管
１２３：捕集箱蓋体
１２４：第３の吸音材
１２５：第２の吸音材
１２７：捕集嚢
１２９：殺菌ランプ
１３０：モータカバー
１３１：放熱フィン
２００：外部ケース
２１０：床面
２２０：開口部
２３０：外部蓋体
２３５：覗き窓
２４０：表示部
２５０：固定クランプ
３００：基台
３１０：吸込管収容部
３２０：締付環
４００：筐体
４０１：塵埃収容部
４０５：締付孔
４１０：繋ぎ管
４２０：繋ぎ管保護カバー
４２１：第１のカバー
４２３：第２のカバー
４２４：ガイド孔
４３０：ガイドランプ
５００：中板
５１０：開閉孔
５２０：開閉部材
５２１：開閉ブラケット
５２１ａ：開閉突起
５２１ｂ：連結リブ
５２３：弾性部材
５３０：係合凸部
５３５：締付溝
６００：天板
６１０：流入孔
８００：仕上げパネル
2016537164.tif 000003
【図１】
2016537164.tif 000004
【図２】
2016537164.tif 000005
【図３】
2016537164.tif 000006
【図４】
2016537164.tif 000007
【図５】
2016537164.tif 000008
【図６】
2016537164.tif 000009
【図７】
2016537164.tif 000010
【図８】
2016537164.tif 000011
【図９】
2016537164.tif 000012
【図１０】
2016537164.tif 000013
【国際調査報告】
2016537164.tif 000014
2016537164.tif 000015
2016537164.tif 000016
2016537164.tif 000017